(57)【要約】【課題】バーコードの出力を行う上での生産性の高いバーコード出力装置およびバーコード出力方法を提供する。【解決手段】複数のバーコードが配列されて構成されたバーコード画像を受け取ってそのバーコード画像を記録媒体上に出力する出力部と、バーコード画像を構成する複数のバーコードの配列と同じ配列の複数のバーコードで構成されるとともに、バーコードの位置を表す標識が並べられた標識付バーコード画像を出力部に供給して出力させる標識付バーコード画像供給部と、標識付バーコード画像を読み取る読取部と、読み取られた標識付バーコード画像を解析して、各バーコードが所定の出力品質を満たすか否かの判定を行うとともに、各標識に基づいてバーコードの位置を確認する画像解析部と、出力品質を満たさないと判定されたバーコードの位置について、出力部にバーコードの出力を禁止する出力禁止部とを備えた。【選択図】        図３
2006244352.tif 000002
【特許請求の範囲】
【請求項１】
複数のバーコードが配列されて構成されたバーコード画像を受け取って該バーコード画像を記録媒体上に出力する出力部と、
前記バーコード画像を構成する複数のバーコードの配列と同じ配列の複数のバーコードで構成されるとともに、各バーコードに、その配列中でのバーコードの位置を表す標識が並べられた標識付バーコード画像を前記出力部に供給して出力させる標識付バーコード画像供給部と、
前記出力部によって出力された標識付バーコード画像を読み取る読取部と、
前記読取部によって読み取られた標識付バーコード画像を解析して、その標識付バーコード画像中の各バーコードについて、所定の出力品質を満たすか否かの判定を行うとともに、その標識付バーコード画像中でバーコードに並んだ標識に基づいてバーコードの位置を確認する画像解析部と、
前記画像解析部によって、前記出力品質を満たさないと判定されたバーコードの位置について、前記出力部に対してバーコードの出力を禁止する出力禁止部とを備えたことを特徴とするバーコード出力装置。
【請求項２】
前記画像解析部による判定の結果を、バーコードの位置に対応付けて表示する表示画面を備えたことを特徴とする請求項１記載のバーコード出力装置。
【請求項３】
前記標識付バーコード画像供給部が、前記出力部の出力対象となる、前記標識を有さないバーコード画像に基づいて前記標識付バーコード画像を作成し、その作成した標識付バーコード画像を前記出力部に供給するものであることを特徴とする請求項１記載のバーコード出力装置。
【請求項４】
前記標識付バーコード画像供給部が、前記標識付バーコード画像を前記出力部に供給した後、該出力部が所定数以上のバーコード画像を出力した場合に、前記標識付バーコード画像を前記出力部に再度供給して再度出力させるものであり、
前記読取部、前記画像解析部、および前記出力禁止部は、再度出力された標識付バーコード画像に基づいて、読取、解析、禁止の各処理をやり直すものであることを特徴とする請求項１記載のバーコード出力装置。
【請求項５】
複数のバーコードが配列されてなるバーコード画像を構成する複数のバーコードの配列と同じ配列の複数のバーコードで構成されるとともに、各バーコードに、その配列中でのバーコードの位置を表す標識が並べられた標識付バーコード画像を、画像を受け取って該画像を記録媒体上に出力する出力機に供給して出力させる標識付バーコード画像供給過程と、
前記出力機によって出力された標識付バーコード画像を読み取る読取過程と、
前記読取過程において読み取られた標識付バーコード画像を解析して、その標識付バーコード画像中の各バーコードについて、所定の出力品質を満たすか否かの判定を行うとともに、その標識付バーコード画像中でバーコードに並んだ標識に基づいてバーコードの位置を確認する画像解析過程と、
前記画像解析過程において、前記出力品質を満たさないと判定されたバーコードの位置について、前記出力機に対してバーコードの出力を禁止する出力禁止過程とを備えたことを特徴とするバーコード出力方法。
【発明の詳細な説明】
【技術分野】
【０００１】
本発明は、複数のバーコードが配列されて構成されたバーコード画像を出力するバーコード出力装置およびバーコード出力方法に関する。
【背景技術】
【０００２】
現代社会では、産業の発展に伴い、電化製品や生活雑貨などの様々な工業製品が市場に流通している。市場に流通している工業製品の中には、工業製品を梱包する箱の表面上や工業製品の外側に、工業製品の種類や区分といった、その工業製品の特長を表すバーコードのラベルが貼られているものも多い。こうしたバーコードを紙などの出力媒体上に出力する装置として、サーマルヘッド方式、インクジェット方式、電子写真方式等の方式を利用したバーコード出力装置が従来から知られている。これらのうちのどの方式を用いたバーコード出力装置でも、バーコード出力装置の使用回数が増加すると共に、印字を行うヘッドの劣化や、ヘッドと出力媒体との位置関係のずれ、帯電・露光・現像・転写装置の均一性の低下により、出力されたバーコードの印字品質が低下していくことは避け難い。このように印字品質が低下したバーコードは、バーコードを読み取る機械に受け付けられず、その結果、バーコードの本来の機能である、製品の特長を表示する機能が発揮されないこともしばしば起きる。
【０００３】
そこで、製品に貼付するためバーコードを出力する際に、印字品質が低下した不良なバーコードが出力されるようなバーコード出力装置に対しては、出力を停止してしまうバーコード出力装置の制御方法が提案されている（例えば、特許文献１参照）。
【特許文献１】特開平５−２３３８６１号公報
【発明の開示】
【発明が解決しようとする課題】
【０００４】
しかしながら、特許文献１記載の方法では、印字品質が低下した不良なバーコードが出力されると装置が停止してしまい、バーコードを出力する作業の生産性が大幅に低下してしまう。作業の効率を考えると、生産性がやや低下しても出力を続けることができるような装置が望ましい。
【０００５】
本発明は、上記事情に鑑み、バーコードの出力を行う上での生産性の高いバーコード出力装置およびバーコード出力方法を提供することを目的とする。
【課題を解決するための手段】
【０００６】
上記目的を達成するための本発明のバーコード出力装置は、
複数のバーコードが配列されて構成されたバーコード画像を受け取ってそのバーコード画像を記録媒体上に出力する出力部と、
上記バーコード画像を構成する複数のバーコードの配列と同じ配列の複数のバーコードで構成されるとともに、各バーコードに、その配列中でのバーコードの位置を表す標識が並べられた標識付バーコード画像を上記出力部に供給して出力させる標識付バーコード画像供給部と、
上記出力部によって出力された標識付バーコード画像を読み取る読取部と、
上記読取部によって読み取られた標識付バーコード画像を解析して、その標識付バーコード画像中の各バーコードについて、所定の出力品質を満たすか否かの判定を行うとともに、その標識付バーコード画像中でバーコードに並んだ標識に基づいてバーコードの位置を確認する画像解析部と、
上記画像解析部によって、上記出力品質を満たさないと判定されたバーコードの位置について、上記出力部に対してバーコードの出力を禁止する出力禁止部とを備えたことを特徴とする。
【０００７】
本発明のバーコード出力装置は、所定の出力品質を満たさない、印字品質が低下した不良なバーコードが画像解析の段階で発見されても、その不良なバーコードの出力位置を除く他の出力位置に関しては、バーコードの出力を続けることができる。一般に、各出力位置における出力品質には、再現性があると考えられるので、本発明によれば、不良なバーコードの出力を回避できるとともに、バーコード出力の生産性を高く保つことができる。
【０００８】
また、本発明のバーコード出力装置において「上記画像解析部による判定の結果を、バーコードの位置に対応付けて表示する表示画面を備えた」という形態は、好ましい形態である。
【０００９】
このような形態のバーコード出力装置により、各バーコードの出力品質の状態を、バーコード出力装置のユーザに知らせることができる。
【００１０】
また、本発明のバーコード出力装置において「上記標識付バーコード画像供給部が、上記出力部の出力対象となる、上記標識を有さないバーコード画像に基づいて上記標識付バーコード画像を作成し、その作成した標識付バーコード画像を上記出力部に供給するものである」という形態も、好ましい形態である。
【００１１】
このような形態のバーコード出力装置により、出力対象となるバーコード画像に基づいてバーコードの出力品質の状態を調べることができ、バーコードの出力品質の判定結果を、出力対象のバーコード画像の出力結果と直接結びつけることができる。
【００１２】
また、本発明のバーコード出力装置において「上記標識付バーコード画像供給部が、上記標識付バーコード画像を上記出力部に供給した後、その出力部が所定数以上のバーコード画像を出力した場合に、上記標識付バーコード画像を上記出力部に再度供給して再度出力させるものであり、
上記読取部、上記画像解析部、および上記出力禁止部は、再度出力された標識付バーコード画像に基づいて、読取、解析、禁止の各処理をやり直すものである」という形態も、好ましい形態である。
【００１３】
標識付バーコード画像中の各バーコードの出力品質を解析を行い、その解析結果に基づき、出力品質の良くないバーコードの出力を禁止しながらバーコード画像の出力を行っていても、バーコード画像の出力回数が増すにつれ、出力されるバーコードの出力品質が、最初に標識付バーコード画像を出力した時点のバーコードの出力品質から低下していくことがある。また、逆に、バーコード出力装置において消耗品の補充や交換、装置のメンテナンスなどでバーコードの出力品質が向上することもある。
【００１４】
本発明のバーコード出力装置は、このようにバーコードの出力品質が変化する状況においても、再度標識付バーコード画像を出力してバーコードの出力品質の解析をやり直すことにより、その変化に対応しながら、出力品質の良いバーコードの出力を行うことができる。
【００１５】
上記目的を達成するための本発明のバーコード出力方法は、
複数のバーコードが配列されてなるバーコード画像を構成する複数のバーコードの配列と同じ配列の複数のバーコードで構成されるとともに、各バーコードに、その配列中でのバーコードの位置を表す標識が並べられた標識付バーコード画像を、画像を受け取って該画像を記録媒体上に出力する出力機に供給して出力させる標識付バーコード画像供給過程と、
上記出力機によって出力された標識付バーコード画像を読み取る読取過程と、
上記読取過程において読み取られた標識付バーコード画像を解析して、その標識付バーコード画像中の各バーコードについて、所定の出力品質を満たすか否かの判定を行うとともに、その標識付バーコード画像中でバーコードに並んだ標識に基づいてバーコードの位置を確認する画像解析過程と、
上記画像解析過程において、上記出力品質を満たさないと判定されたバーコードの位置について、上記出力機に対してバーコードの出力を禁止する出力禁止過程とを備えたことを特徴とする。
【００１６】
この本発明のバーコード出力方法によれば、本発明のバーコード出力装置と同様に、不良なバーコードの出力を回避できるとともに、バーコード出力の生産性を高く保つことができる。
【発明の効果】
【００１７】
本発明のバーコード出力装置およびバーコード出力方法によれば、生産性の高いバーコード出力を行うことができる。
【発明を実施するための最良の形態】
【００１８】
以下、本発明のバーコード出力装置の一実施形態について説明する。
【００１９】
図１は、本発明のバーコード出力装置の一実施形態が適用された出力システムの全体構成図である。
【００２０】
この出力システムは、コピー機の機能と、画像を出力するプリンタの機能とを兼ね備えることでコピー機／プリンタ複合機として動作する出力機１０Ａを中心に構成されたシステムである。
【００２１】
この出力システムでは、オペレータは、パーソナルコンピュータ１００により画像を含むページを編集して出力装置１０Ａに送り、出力装置１０Ａの有する出力部３００から出力させることができる。また、この出力装置１０Ａにセットされた原稿を出力装置１０Ａの有する読取部２００Ａで読み取ってその原稿のコピーを出力部３００から出力させることもできる。出力装置１０Ａには、このような出力部３００による出力や読取部２００Ａによる読取の制御を行うために処理部５００が備えられており、処理部５００で把握されている出力装置１０Ａの設定などの情報は、表示部４００に表示されてオペレータに伝達される。
【００２２】
また、この出力システムでは、オペレータは、パーソナルコンピュータ１００を用いてバーコードが１ページに複数配列されているバーコード画像の作成を行い、出力装置１０Ａのプリンタとしての機能を利用して、作成されたバーコード画像の出力を行うこともできる。
【００２３】
出力装置１０Ａには、このようにバーコード出力装置として利用される際に便利なようにバーコード出力用の出力モードが備えられており、このような出力モードに応じた出力の制御も、処理部５００によって行われる。この出力モードが用いられる具体的な詳細については後述する。
【００２４】
以上説明した出力システムにおいて、出力装置１０Ａが、本発明のバーコード出力装置の一実施形態として動作するものであり、以下、この出力装置１０Ａについて説明する。まず、図１に示す読取部２００Ａ、出力部３００、表示部４００について説明する。
【００２５】
図２は、図１に示す出力装置の断面図である。
【００２６】
出力装置１０Ａでは、原稿がセットされる上カバー１０１の下に、原稿の画像を読み取って画像データを生成する、図１に示した読取部２００Ａと、用紙２１に画像を出力する出力部３００とが備えられている。この出力装置１０Ａは、オペレータによって上カバー１００の給紙口１１１にセットされた原稿を、図示しない紙送り手段によって上カバー１００と露光ガラス１１２の間に送りながら、その原稿の画像を読取部２００Ａで読み取るＣＶＴ（Ｃｏｎｓｔａｎｔ  Ｖｅｌｏｃｉｔｙ  Ｔｒａｎｓｐｏｒｔ）読み取りと、オペレータによって上カバー１００と露光ガラス１１２の間にセットされた原稿の画像を読取部２００Ａで読み取る通常読み込みとを行うことができる。
【００２７】
読取部２００Ａには、ランプ２１１と第１ミラー２１２とを備えた第１キャリッジ２１０、第２ミラー２２１と第３ミラー２２２とを備えた第２キャリッジ２２０、レンズ２３０、および撮像素子２４０などが備えられている。第１キャリッジ２１０は、ランプ２１１で原稿画像上に光を照射しながら、所定の移動速度で副走査方向に移動する。ランプ２１１で照射された光が原稿画像上で反射した反射光は、第２キャリッジ２２０の第２ミラー２２１および第３ミラー２２２を経て、レンズ２３０に入射されて、撮像素子２４０上に集光される。撮像素子２４０は、受け取った光に基づいた電荷を蓄積し、蓄積した電荷をアナログ信号に変換するものであり、本実施形態においては、撮像素子２４０としてＣＣＤが用いられる。出力されたアナログ信号は、デジタルの画像データに変換され、各種補正処理が施される。このような一連の信号処理の制御は、図１に示す処理部５００によって行われる。
【００２８】
出力部３００では、画像データが送られてくると、出力部３００内の露光器３１１が感光体３１２に向けてレーザ光を照射することにより、画像を表す静電潜像が感光体３１２上に形成され、さらにその静電潜像がトナーで現像される。そして、図示しない紙送り手段によって、トレー３２０に収容されている用紙２１が、出力部３００内の不図示の転写・定着部に送られ、用紙２１上に、トナーで現像された静電潜像の転写・定着が行われて画像が形成され、画像形成後の用紙２１は排紙口３０１に向けて送られてくる。これら露光器３１１、転写・定着部の制御は、図１に示す処理部５００によって行われる。
【００２９】
また、出力装置１０Ａには、側面上に図１にも示す表示部４００が設けられており、この表示部４００の有する表示画面４０１上に、出力装置１０Ａに対して、出力装置１０Ａの動作状況に関するメッセージが表示される。
【００３０】
以上が、図１に示す読取部２００Ａ、出力部３００、表示部４００についての説明である。
【００３１】
続いて、図１に示す出力システムにおいて、出力装置１０Ａをバーコード出力装置として利用するため、バーコード出力モードがユーザにより選択された際に行われる処理について説明する。
【００３２】
図２に示す出力装置１０Ａには、バーコード出力用の出力モードを選択するための出力モード設定スイッチ４０３が備えられており、ユーザがこのモード設定スイッチ４０３をオンにすることで、出力装置１０Ａは、バーコード出力装置として動作する態勢に入る。
そして、ユーザによりパーソナルコンピュータ１００を介して、バーコード画像を表す画像データが出力装置１０Ａに送られ、処理が開始される。以下では、この処理について図３を参照しながら説明する。
【００３３】
図３は、図１に示す出力装置をバーコード出力装置として動作させるために、図１に示す処理部内に備えられている要素と、それらの要素による作用を表す図である。
【００３４】
パーソナルコンピュータ１００から出力装置１０Ａにバーコード画像を表す画像データが送られてくると、その画像データは処理部５００に入力され、処理部５００内の記憶部１４に記憶された後、標識付与部１５に出力される。標識付与部１５では、この画像データで表されるバーコード画像に対して、バーコード画像中のバーコードの位置それぞれを表す標識として、それぞれの位置に応じた数だけ点を付与し、付与後のバーコード画像が、出力部３００から出力される。
【００３５】
図４は、バーコードの位置それぞれを表す標識として、それぞれの位置に応じた数の点が付与されたバーコード画像を表す図である。
【００３６】
図４に示すように、バーコード画像２１０中のバーコード２１０ａの１２ヶ所の位置それぞれを表す標識として、それぞれの位置に応じた数だけ点２１０ｂが付与されている。このバーコード画像２１０は、後述するように出力品質を検査するためのバーコード画像であり、以下では、このように点が付与されたバーコード画像を試験用バーコード画像と呼ぶ。
【００３７】
試験用バーコード画像２１０が出力されたという情報は、図２および図３に示す表示部４００に伝えられ、表示画面４０１では、出力装置１０Ａのユーザに対し、ＣＶＴ読み取りを行うために試験用バーコード画像２１０を上カバー１００の給紙口１１１にセットするか、あるいは、通常読み込みを行うために上カバー１００と露光ガラス１１２の間に試験用バーコード画像２１０をセットするよう促すメッセージが表示される。このメッセージを受け、出力装置１０Ａのユーザによって試験用バーコード画像２１０の読み取りが実行されて、この読み取りによって得られた読取データが生成される。
【００３８】
読取データが生成されると、生成された読取データは、図３に示す画像解析部１２に送られ、この画像解析部１２において、読み取られた試験用バーコード画像２１０中の各バーコード２１０ａについて、出力品質についての解析が行われる。この解析では、出力品質が所定の出力品質を満たすか否かで、出力品質の良／不良の判定が行われ、出力品質が不良と判定された場合には、さらに、出力品質が不良となっている原因が、バーコード２１０ａを構成するバーの間がつぶれているためなのか、あるいは、印字されるべきバーがとんでいるためなのかが判定される。さらに、この画像解析部１２では、各バーコード２１０ａの傍に印字された、図１で示す点２１０ｂの数によって、各バーコード２１０ａの位置の確認が行われ、各バーコード２１０ａの位置と各バーコード２１０ａの出力品質の解析結果とが対応づけが行われる。このような対応づけによって得られた出力品質の検査結果は、画像解析部１２内に記録されるとともに、出力禁止部１３に送られる。この
出力禁止部１３に出力品質の検査結果が送られてくると、記憶部１４に記憶されていた、バーコード画像を表す画像データが出力禁止部１３に送られる。出力禁止部１３では、出力品質の検査結果に基づき、出力品質が不良と判定されたバーコード２１０ａのデータを、記憶部１４から送られてきた画像データから消去して、消去後の画像データが出力部３００に送られて出力が行われる。この結果、出力品質が不良と判定されたバーコード２１０ａの位置には、バーコード２１０ａが出力されていないバーコード画像が出力されることとなる。
【００３９】
図５は、出力禁止部から与えられた指示に従って出力されたバーコード画像の例を表す
図である。
【００４０】
この図に示す例では、左から２列目、上から３列目のバーコード２１０ａの出力品質が不良と判定されてこの位置のバーコード２１０ａが出力されず、残りの１１個のバーコード２１０ａが出力されたバーコード画像２１１が示されている。以下では、このようにして出力品質の検査結果が反映して出力されたバーコード画像を、前述の試験用バーコード画像２１０と区別して、品質確認済バーコード画像と呼ぶ。
【００４１】
以上の説明において、記憶部１４および標識付与部１５が、本発明にいう標識付バーコード供給部の一例に相当し、出力部３００、読取部２００Ａ、画像解析部１２、出力禁止部１３が、それぞれ、本発明にいう出力部、読取部、画像解析部、出力禁止部の各一例に相当する。また、記憶部１４および標識付与部１５が行う動作の過程が、本発明にいう標識付バーコード供給過程の一例に相当し、読取部２００Ａ、画像解析部１２、出力禁止部１３が行う動作の過程が、それぞれ、本発明にいう読取過程、画像解析過程、出力禁止過程の各一例に相当する。
【００４２】
以上説明したように、この出力装置１０Ａでは、所定の出力品質を満たさない、印字品質が低下した不良なバーコードが画像解析の段階で発見されても、その不良なバーコードの出力位置を除く他の出力位置に関しては、バーコード２１０ａの出力を続けることができる。品質確認済バーコード画像２１１においては、各出力位置における出力品質には再現性があると考えられるので、この出力装置１０Ａによれば、不良なバーコードの出力を回避できるとともに、バーコード出力の生産性を高く保つことができる。
【００４３】
さらに、この出力装置１０Ａでは、出力部３００において、品質確認済バーコード画像２１１が所定数出力されると、この情報が記憶部１４に伝えられ、記憶部１４は、この情報が伝えられると、再度、画像データを標識付与部１５に送り、試験用バーコードの作成、および出力品質の検査が行われる。
【００４４】
このように所定数以上の品質確認済バーコード画像２１１が出力されると、バーコード２１０ａの出力品質の検査をやり直すことにより、出力装置１０Ａは、出力されるバーコード２１０ａの出力品質が、品質確認済バーコード画像２１１の出力回数の増加とともに変化しても、その変化に対応しながら、出力品質の良いバーコード２１０ａの出力を行うことができる。
【００４５】
また、この出力装置１０Ａでは、画像解析部１２内に記録された、各位置でのバーコード２１０ａの出力品質の解析結果が、表示部４００に送られ、出力装置１０Ａのメンテナンスの参考になるように、１週間分まとめて出力品質の時間的推移が表示される。
【００４６】
図６は、図２および図３に示す表示画面上に表示される、試験用バーコード画像の出力品質の１週間分の検査結果を表す図である。
【００４７】
この図では、図４に示す試験用バーコード画像２１０中の各バーコード２１０ａの位置が、各バーコードに付与された点２１０ｂの数と同じ数字（１）〜（１２）で表されており、それぞれの位置のバーコード２１０ａの出力品質の検査結果が、１日目〜７日目まで表示されている。この図において、「○」は、出力品質が良好であることを表しており、「つぶれ」および「とび」は、それぞれバーコード２１０ａの出力品質が不良であり、その原因が、バーコード２１０ａを構成するバーの間がつぶれているため、あるいは、印字されるべきバーがとんでいるためであることを表している。これらの表示画面のオン／オフは、図に示す表示ボタン４０２を押すことによって行われる。
【００４８】
図６に示したような出力品質の検査結果は、出力装置１０Ａのメンテナンス時において、図２に示す露光器３１１の照射するレーザ光の光量の調整などに反映される。具体的には、印字がとんでいると判定されたバーコード２１０ａの位置に対しては、照射するレーザ光の光量が増加され、印字がつぶれていると判定されたバーコード２１０ａの位置に対しては、照射するレーザ光の光量が減少させられる。
【００４９】
以上が、本発明のバーコード出力装置の一実施形態として動作する出力装置１０Ａについての説明である。
【００５０】
以上説明した出力装置１０Ａは、出力禁止部１３が出力品質が不良と判定されたバーコード２１０ａのデータを画像データから消去することで、出力品質が不良なバーコードを出力させないものであるが、本発明のバーコード出力装置は、露光器を制御して静電潜像の一部を作成させないようにすることで、出力品質が不良なバーコードを出力させないバーコード出力装置でもよい。
【００５１】
続いて、以上説明した出力装置１０Ａとは異なる、本発明のバーコード出力装置の実施形態について説明する。
【００５２】
ここで説明する、本発明のバーコード出力装置として動作する出力装置は、バーコード画像が出力されてくると共に出力されてくるバーコード画像を読み取ることができる構成を有しており、このため、前述の出力装置１０Ａとは異なり、試験用バーコード画像を読み取るために、出力されたバーコード画像を所定の読取位置にセットするユーザの作業を必要としない。この出力装置は、前述の出力装置１０Ａとは異なる読取部を備えている以外は、前述の出力装置１０Ａと同じ出力部、表示部、処理部を備えており、図１に示す出力システムにおいて、バーコード出力用モードが選択された際に、前述の出力装置１０Ａの果たした役割と同じ役割を、果たすことができる。
【００５３】
図７は、バーコード画像が出力されてくると共に出力されてくるバーコード画像を読み取ることができる構成を有する出力装置の断面図である。
【００５４】
図７の装置において、図２に示す、前述の出力装置１０Ａの構成要素と同一の構成要素には同一の符号を付して示し、同一の構成要素についての重複説明は省略する。この図に示す出力装置１０Ｂが、図２に示す出力装置１０Ａと異なる点は、図２の読取部２００Ａの代わりに、図７に示すように、排紙口３０１付近に読取部２００Ｂを備えており、この読取部２００Ｂによって出力されてきたバーコード画像を、出力と同時に読み取ることができる点である。
【００５５】
図８は、図７に示す出力装置が有する処理部内に備えられている要素と、それらの要素による作用を表す図である。
【００５６】
この図８においても、図３に示す、前述の出力装置１０Ａの構成要素と同一の構成要素には同一の符号を付して示し、同一の構成要素についての重複説明は省略する。この図６において、図３の構成とは異なる点は、試験用バーコード画像２１０ａが出力されると、ユーザを介さずに試験済バーコード画像の読み取りが読取部２００Ｂにより行われる点であり、このため、図７に示す表示部においては、試験用バーコード画像２１０ａを読み取り位置にセットするようユーザに促すメッセージが表示されない。これらの点以外については、出力品質の検査を行う上での各部が行う作業の内容は、図３において説明した作業と同じであり、ここでは重複説明は省略する。
【図面の簡単な説明】
【００５７】
【図１】本発明のバーコード出力装置の一実施形態が適用された出力システムの全体構成図である。
【図２】図１に示す出力装置の断面図である。
【図３】図１に示す出力装置をバーコード出力装置として動作させるために、図１に示す処理部内に備えられている要素と、それらの要素による作用を表す図である。
【図４】バーコードの位置それぞれを表す標識として、それぞれの位置に応じた数の点が付与されたバーコード画像を表す図である。
【図５】出力禁止部から与えられた指示に従って出力されたバーコード画像の例を表す図である。
【図６】図２および図３に示す表示画面上に表示される、試験用バーコード画像の出力品質の１週間分の検査結果を表す図である。
【図７】バーコード画像が出力されてくると共に出力されてくるバーコード画像を読み取ることができる構成を有する出力装置の断面図である。
【図８】図７に示す出力装置が有する処理部内に備えられているの要素と、それらの要素による作用を表す図である。
【符号の説明】
【００５８】
１００  パーソナルコンピュータ
１０Ａ  出力装置
１０Ｂ  出力装置
２００Ａ  読取部
２００Ｂ  読取部
５００  処理部
３００  出力部
２１０  試験用バーコード画像
２１１  品質確認済バーコード画像
２１０ａ  バーコード
２１０ｂ  点
１０１    上カバー
１１１    給紙口
１１２    露光ガラス
２１１    ランプ
２１２    第１ミラー
２１０    第１キャリッジ
２２１    第２ミラー
２２２    第３ミラー
２２０    第２キャリッジ
２３０    レンズ
２４０    撮像素子
３２０    トレー
３０１    排紙口
３１１    露光器
３１２  感光体
４００  表示部
４０１  表示画面
４０２  表示ボタン
４０３  モード設定スイッチ
１４  記憶部
１５  標識付与部
１２  画像解析部
１３  出力禁止部
【図１】
2006244352.tif 000003
【図２】
2006244352.tif 000004
【図３】
2006244352.tif 000005
【図４】
2006244352.tif 000006
【図５】
2006244352.tif 000007
【図６】
2006244352.tif 000008
【図７】
2006244352.tif 000009
【図８】
2006244352.tif 000010